【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ネットワークを介して第１および第２のメディアデバイス間の対接続を確立するための方法であって、
前記第１のメディアデバイスとのユーザインタラクションに応答し、前記第１のメディアデバイスと前記第２のメディアデバイスとを対にする要求を含む識別子を有する第１の情報メッセージをネットワークを介して送信することと、
第１の所定時間間隔内に前記第２のデバイスからの第２の情報メッセージの受信に応答し、第２の情報メッセージから前記第２のデバイスの識別子を読み出して、前記第１のデバイスの識別子と前記第２のデバイスの識別子を含む確認メッセージをネットワークを介して送信することと、
第２の所定時間間隔内に前記第２のデバイスからの対応する確認メッセージの受信に応答し、前記第２のデバイスとの対接続を完了することと、を備え、
前記対接続は、メディア捕捉（media acquisition）、フィルタリング、または出力サ
ービス、またはその組み合わせの提供において第１のデバイスが第２のデバイスを制御することができるようにするための通信プロトコルを使用する方法。
【請求項２】
1つ以上の前記情報メッセージおよび前記確認メッセージはユーザデータグラムプロト
コルを介して転送される請求項１に記載の方法。
【請求項３】
前記第１および第２の時間が実質的に同じである請求項１に記載の方法。
【請求項４】
前記第１の所定時間の間に前記第２のデバイスとの前記対接続の確立に失敗したとき、前記第１のメディアデバイスは、前記第２のメディアデバイスとは異なる第３のメディアデバイスからの情報メッセージの受信に応答する請求項１に記載の方法。
【請求項５】
前記第２の所定時間の間に前記第２のデバイスとの前記対接続の確立に失敗したとき、
前記第１のメディアデバイスは、前記第２のメディアデバイスとは異なる第３のメディアデバイスからの確認メッセージの受信に応答する請求項１に記載の方法。
【請求項６】
さらなるメディアデバイスとの１つ以上のさらなる対接続を確立することをさらに含む請求項１に記載の方法。
【請求項７】
前記情報メッセージと前記確認メッセージのそれぞれはプロトコル識別子（GUID）を含む請求項１に記載の方法。
【請求項８】
画像転送プロトコル（PTP,  Picture transfer Protocol）に基づいて通信することを
さらに含む請求項１に記載の方法。
【請求項９】
前記第１および第２のデバイスのうちの少なくとも1つはデジタルカメラである請求項１に記載の方法。
【請求項１０】
前記第１および第２のデバイスのうちの少なくとも1つはプリンタである請求項９に記載の方法。
【請求項１１】
前記第１のメッセージを受信するとともにスイッチが動作するときにおいて、前記第２のデバイスは自動的に前記第２のメッセージを生成して転送する請求項１に記載の方法。
【請求項１２】
前記第２のメッセージを受信するとともにスイッチが動作するときにおいて、前記第１のデバイスは自動的に前記確認メッセージを生成して転送する請求項１に記載の方法。
【請求項１３】
メディアを処理するとともに、ネットワークを介して第２のメディアデバイスとの対接続を確立するためのメディアデバイスであって、
コンポーネントアーキテクチャを処理するメディアを含むメディアデバイス筐体と、
コンポーネントアーキテクチャと対となるネットワークインターフェースと、
ペアリングアクチュエータとのユーザインタラクションにおいて、情報メッセージの転送が前記ネットワークインターフェースを介して開始され、前記情報メッセージが、前記第１のメディアデバイスのユーザが当該デバイスについて第２のメディアデバイスと対になることを希望していることを示す識別子を含んでいる場合に、前記ネットワークインターフェースと信号によって対（signal-coupled）となるペアリングアクチュエータとを備え、
第１の所定時間間隔内の前記ネットワークインターフェースを介した前記第２のメディアデバイスからの情報メッセージの受信に応答し、前記第１のメディアデバイスが前記情報メッセージから前記第２のデバイスの識別子を読み出して前記第１のメディアデバイスの識別子と前記第２のデバイスの識別子を含む確認メッセージを前記ネットワークインターフェースを介して送信し、
第２の所定時間間隔内の前記ネットワークインターフェースを介した前記第２のメディアデバイスからの対応する確認メッセージの受信に応答し、前記アダプタデバイスが第２のデバイスとの対接続を完了し、
前記対接続は、メディア捕捉（media acquisition）、フィルタリング、または出力サービス、またはその組み合わせの提供において第１のデバイスが第２のデバイスを制御することができるようにするための通信プロトコルを使用するデバイス。
【請求項１４】
マイクロプロセッサまたは１つ以上の汎用コンピュータデバイスコンポーネント、プリンタアーキテクチャ、デジタル画像捕捉デバイスアーキテクチャ、アダプタ、またはそれらの組み合わせをさらに備える請求項１３に記載のデバイス。
【請求項１５】
前記ネットワークインターフェースがインターネットプロトコル（IP）トランスポート
インターフェースである請求項１４に記載のデバイス。
【請求項１６】
前記ネットワークインターフェースが無線ローカルエリアネットワークインターフェース、ブルートゥースインターフェース、もしくはイーサネット（登録商標、以下同じ）インターフェース、またはそれらの組み合わせを備える請求項１５に記載のデバイス。
【請求項１７】
前記対接続の確立において前記ネットワークインターフェースと通信するためのバスインターフェースを含むアダプタをさらに備える請求項１４に記載のデバイス。
【請求項１８】
前記バスインターフェースがUSBインターフェースである請求項１７に記載のデバイ
ス。
【請求項１９】
前記アダプタはさらに、前記バスインターフェースを介してPTP適合デバイスと通信するためのPTPイニシエータモジュールを備える請求項１７に記載のデバイス。
【請求項２０】
前記ネットワークインターフェースを介して１つ以上のPTP／IP適合デバイスと通信するためのPTPレスポンダモジュールをさらに備える請求項１９に記載のデバイス。
【請求項２１】
個別のデバイスとの１つ以上のさらなる対接続を確立する請求項２０に記載のデバイス。
【請求項２２】
前記ネットワークインターフェースを介して対接続が確立された各デバイスとの、個別のPTPセッションを確立する請求項２１に記載のデバイス。
【請求項２３】
接続が1つのデバイスとのみ確立されるときに前記デバイスがブリッジとして機能する請求項２２に記載のデバイス。
【請求項２４】
１つ以上の対接続が確立されるときに前記デバイスがゲートウェイ（６８６）として機能する請求項２２に記載のデバイス。
【請求項２５】
デジタルカメラである請求項１４に記載のデバイス。
【請求項２６】
前記第２のデバイスがプリンタである請求項２５に記載のデバイス。
【請求項２７】
前記第１のメッセージの受信および前記第２のデバイスに対応する第２のペアリングアクチュエータが動作するときにおいて、前記第２のデバイスは自動的に前記第２のメッセージを生成して転送する請求項１４に記載のデバイス。
【請求項２８】
前記第２のメッセージの受信および前記ペアリングアクチュエータが動作するときにおいて、前記第１のデバイスは自動的に前記確認メッセージを生成して転送する請求項１４に記載のデバイス。
【請求項２９】
格納されるプロセッサ読み取り可能なコードを有し、コンピュータプロセッサが読み取り可能な１つ以上の格納デバイスであって、
前記プロセッサ読み取り可能なコードは、プロセッサに対し、ネットワークを介して第１および第２のメディアデバイス間の対接続を確立するための方法をプログラムし、
前記方法は、
前記第１のメディアデバイスとのユーザインタラクションに応答し、前記第１のメディアデバイスと前記第２のメディアデバイスとを対にする要求を含む識別子を有する第１の情報メッセージをネットワークを介して送信することと、
第１の所定時間間隔内に前記第２のデバイスからの第２の情報メッセージの受信に応答し、第２の情報メッセージから前記第２のデバイスの識別子を読み出して、前記第１のデバイスの識別子と前記第２のデバイスの識別子を含む確認メッセージをネットワークを介して送信することと、
第２の所定時間間隔内に前記第２のデバイスからの対応する確認メッセージの受信に応答し、前記第２のデバイスとの対接続を完了することと、を備え、
前記対接続は、メディア捕捉（media acquisition）、フィルタリング、または出力サービス、またはその組み合わせの提供において第１のデバイスが第２のデバイスを制御することができるようにするための通信プロトコルを使用するコンピュータプロセッサが読み取り可能な格納デバイス。
【請求項３０】
1つ以上の前記情報メッセージおよび前記確認メッセージはユーザデータグラムプロト
コルを介して転送される請求項２９に記載のコンピュータプロセッサが読み取り可能な格納デバイス。
【請求項３１】
前記第１および第２の時間が実質的に同じである請求項２９に記載のコンピュータプロセッサが読み取り可能な格納デバイス。
【請求項３２】
前記第１の所定時間の間に前記第２デバイスとの前記対接続の確立に失敗したとき、前記第１のメディアデバイスは前記第２メディアデバイスとは異なる第３のメディアデバイスからの情報メッセージの受信に応答する請求項２９に記載のコンピュータプロセッサが読み取り可能な格納デバイス。
【請求項３３】
前記第２の所定時間の間に前記第２デバイスとの前記対接続の確立に失敗したとき、
前記第１のメディアデバイスは前記第２メディアデバイスとは異なる第３メディアデバイスからの確認メッセージの受信に応答する請求項２９に記載のコンピュータプロセッサが読み取り可能な格納デバイス。
【請求項３４】
さらなるメディアデバイスとの１つ以上のさらなる対接続を確立することをさらに含む請求項２９に記載のコンピュータプロセッサが読み取り可能な格納デバイス。
【請求項３５】
前記情報メッセージと前記確認メッセージのそれぞれはプロトコル識別子（GUID）を含む請求項２９に記載のコンピュータプロセッサが読み取り可能な格納デバイス。
【請求項３６】
画像転送プロトコル（PTP,  Picture transfer Protocol）に基づいて通信することを
さらに含む請求項２９に記載のコンピュータプロセッサが読み取り可能な格納デバイス。
【請求項３７】
前記第１および第２のデバイスのうちの少なくとも1つがデジタルカメラである請求項２９に記載のコンピュータプロセッサが読み取り可能な格納デバイス。
【請求項３８】
前記第１および第２のデバイスのうちの少なくとも1つがプリンタである請求項３７に記載のコンピュータプロセッサが読み取り可能な格納デバイス。
【請求項３９】
前記第１のメッセージを受信するとともにスイッチが動作するときにおいて、前記第２のデバイスは自動的に前記第２のメッセージを生成して転送する請求項２９に記載のコンピュータプロセッサが読み取り可能な格納デバイス。
【請求項４０】
前記第２のメッセージを受信するとともにスイッチが動作するときにおいて、前記第１のデバイスは自動的に前記確認メッセージを生成して転送する請求項２９に記載のコンピュータプロセッサが読み取り可能な格納デバイス。